(57)【要約】【課題】防水シートの上昇・展張作業と両側壁への取付け作業とをほぼワンタッチ操作で行えるようにしたシート式防水扉を提供する。【解決手段】建物等の床面１と両側壁２，３とで形成される通路開口４を塞ぐためのシート式防水扉５であって、床面１と両側壁２，３とのコーナー部に、使用時は両側壁２，３に沿ってそれぞれ起立させてロックされ、不使用時は床面１に沿ってそれぞれ倒伏させる取付け柱１４，１５がヒンジ金具１６で起倒自在に設けられる一方、通路開口４を塞ぐ可撓性の防水シート１０は、下端部１０ａが床面１側に水密に固定され、両端部１０ｂが取付け柱１４，１５にそれぞれ水密に固定されている。【選択図】図１
2008190276.tif 000002
【特許請求の範囲】
【請求項１】
建物等の床面と両側壁とで形成される通路開口を塞ぐためのシート式防水扉であって、
床面と両側壁とのコーナー部に、使用時は両側壁に沿ってそれぞれ起立させてロックされ、不使用時は床面に沿ってそれぞれ倒伏させる取付け柱がヒンジ金具で起倒自在に設けられる一方、前記通路開口を塞ぐ可撓性の防水シートは、下端部が床面側に水密に固定され、両端部が取付け柱にそれぞれ水密に固定されていることを特徴とするシート式防水扉。
【請求項２】
前記床面には、倒伏させた取付け柱と防水シートとを格納可能な蓋付きの横溝が形成され、前記両側壁には、起立させた取付け柱を格納可能な縦溝が形成されて、縦溝と取付け柱との間にパッキンが介設されていることを特徴とする請求項１に記載のシート式防水扉。
【請求項３】
前記両側壁若しくは縦溝には、起立させた取付け柱を起立位置にロック可能な回転係止ハンドルが設けられていることを特徴とする請求項１または２に記載のシート式防水扉。
【請求項４】
前記両側壁若しくは縦溝には、起立させた取付け柱を嵌め込んで両側を保持するホルダーが取付けられていることを特徴とする請求項１〜３のいずれか一項に記載のシート式防水扉。
【請求項５】
前記防水シートの上端部に、ロープ等の補強材が設けられていることを特徴とする請求項１〜４のいずれか一項に記載のシート式防水扉。
【請求項６】
前記防水シートの上端部の中央部分は、上向きの略台形状に嵩上げされていることを特徴とする請求項１〜５のいずれか一項に記載のシート式防水扉。
【請求項７】
前記防水シートは、不使用時に倒伏させた取付け柱と平行になるように巻き丸め可能であることを特徴とする請求項１〜６のいずれか一項に記載のシート式防水扉。
【発明の詳細な説明】
【技術分野】
【０００１】
本発明は、シート式防水扉に関する。
【背景技術】
【０００２】
従来、建物等の床面と両側壁とで形成される通路開口を塞ぐためのシート式防水扉としては、水密ファスナーを利用して防水シートを展張させるタイプ（特許文献１参照）、あるいは防水シートを蓋体とともにスプリング力で上昇・展張させるタイプ（特許文献２参照）等がある。
【特許文献１】特開２００１−１８２４５２号公報
【特許文献２】特開２００１−３４２７８０号公報
【発明の開示】
【発明が解決しようとする課題】
【０００３】
しかしながら、特許文献１では、防水シートの展張作業と両側壁への取付け作業との２作業が必要となって、２人×３０分程度の労力を要する。また、特許文献２では、防水シートはスプリング力で上昇・展張されるが、その後に、防水シートの両端部を両側壁等にねじ等で取付ける作業が必要となって、１人×３０分程度の労力を要する。
【０００４】
本発明は、前記問題を解消するためになされたもので、防水シートの上昇・展張作業と両側壁への取付け作業とをほぼワンタッチ操作で行えるようにしたシート式防水扉を提供することを目的とするものである。
【課題を解決するための手段】
【０００５】
前記課題を解決するために、本発明は、建物等の床面と両側壁とで形成される通路開口を塞ぐためのシート式防水扉であって、床面と両側壁とのコーナー部に、使用時は両側壁に沿ってそれぞれ起立させてロックされ、不使用時は床面に沿ってそれぞれ倒伏させる取付け柱がヒンジ金具で起倒自在に設けられる一方、前記通路開口を塞ぐ可撓性の防水シートは、下端部が床面側に水密に固定され、両端部が取付け柱にそれぞれ水密に固定されていることを特徴とするシート式防水扉を提供するものである。
【０００６】
請求項２のように、前記床面には、倒伏させた取付け柱と防水シートとを格納可能な蓋付きの横溝が形成され、前記両側壁には、起立させた取付け柱を格納可能な縦溝が形成されて、縦溝と取付け柱との間にパッキンが介設されていることが好ましい。
【０００７】
請求項３のように、前記両側壁若しくは縦溝には、起立させた取付け柱を起立位置にロック可能な回転係止ハンドルが設けられていることが好ましい。
【０００８】
請求項４のように、前記両側壁若しくは縦溝には、起立させた取付け柱を嵌め込んで両側を保持するホルダーが取付けられていることが好ましい。
【０００９】
請求項５のように、前記防水シートの上端部に、ロープ等の補強材が設けられていることが好ましい。
【００１０】
請求項６のように、前記防水シートの上端部の中央部分は、上向きの略台形状に嵩上げされていることが好ましい。
【００１１】
請求項７のように、前記防水シートは、不使用時に倒伏させた取付け柱と平行になるように巻き丸め可能であることが好ましい。
【発明の効果】
【００１２】
本発明によれば、不使用時に床面に沿って倒伏させた取付け柱を、使用時に両側壁に沿って、それぞれ起立させてロックすれば、取付け柱の起立に追従して防水シートが自動的に上昇・展張されるから、防水シートの上昇・展張作業と両側壁への取付け作業とを、ほぼワンタッチ操作で行えるようになる。そして、１人で作業する場合には、一側の取付け柱を起立させてロックした後、他側の取付け柱を起立させてロックすれば良く、この場合でも１人×５分程度の労力で済む。
【００１３】
請求項２によれば、不使用時には、床面の蓋付き横溝内に、倒伏させた取付け柱と防水シートとを格納できるので、安全であるとともに、使用時には、両側壁の縦溝内に取付け柱を格納できるので、不使用時でも取付け柱やロックが両側壁から出っ張らなくなって安全である。また、縦溝と取付け柱との間にパッキンを介設することで、この間の水密性が確保できる。
【００１４】
請求項３によれば、回転係止ハンドルの回転操作だけで、取付け柱をワンタッチで起立位置にロックできるようになる。
【００１５】
請求項４によれば、ホルダーで取付け柱が起立位置に位置決めされて、水圧等で変位しなくなる。
【００１６】
請求項５によれば、水圧等で防水シートの上端部が伸びてシート高さが低くなることを防止できるようになる。
【００１７】
請求項６によれば、水圧等で防水シートの上端部の中央部分が伸びてシート高さが低くなろうとしても、嵩上げ部分でシート高さを補填できるので、結果的にシート高さが低くなることを防止できるようになる。また、不使用時に取付け柱を倒伏させて、防水シートを取付け柱と平行になるように巻き丸める時に、防水シートの上端部が重なり合いにくくなるので、巻き丸めたときの外径を小さくすることができる。
【００１８】
請求項７によれば、不使用時に倒伏させた取付け柱と平行になるように防水シートを巻き丸めれば、横溝の格納スペースが小さくて済むとともに、使用時の上昇・展張がスムーズになる。
【発明を実施するための最良の形態】
【００１９】
以下、本発明を実施するための最良の形態について、図面を参照しながら詳細に説明する。
【００２０】
図１は、建物等の床面１と両側壁２，３とで形成される通路開口４を塞ぐためのシート式防水扉５であって、（ａ）は防水シート１０が上昇・展張状態（使用時）の平面図、（ｂ）は（ａ）の正面図である。図３（ａ）は防水シート１０が格納状態（不使用時）の平面図、（ｂ）は（ａ）の正面図である。
【００２１】
床面１には、使用時はハンドル１１ａで持ち上げながら取外し可能な蓋１１〔図４（ｂ）（ｃ）参照〕で覆われて、通路に対して直交する方向の横溝１２が形成されるとともに、両側壁２，３には、横溝１２の両端部と連なるように、通路に対して垂直な方向の縦溝１３がそれぞれ形成されている。
【００２２】
床面１の横溝１２と両側壁２，３の縦溝１３とのコーナー部には、図１（ａ）（ｂ）の使用時には、両側壁２，３に沿って縦溝１３内にそれぞれ垂直状態で起立されるとともに、図３（ａ）（ｂ）の不使用時には、床面１に沿って横溝１２内にそれぞれ横倒し状態で倒伏される取付け柱１４，１５の下端部１４ａ，１５ａがヒンジ金具１６〔図５（ａ）（ｂ）参照〕でそれぞれ横溝１２の底部に起倒自在に取付けられている。
【００２３】
また、上昇・展張状態の使用時に通路開口４を塞ぐ可撓性の防水シート１０は、図７（ｂ）のように、下端部１０ａが床面１の横溝１２の底部に取付け板１７を介してボルト等で水密に固定され、両端部１０ｂが取付け柱１４，１５の内側面に取付け板１８を介してボルト等でそれぞれ水密に固定されている。防水シート１０は、例えば水圧に耐える基布と、その表面に被覆される樹脂またはゴムとで構成されている。
【００２４】
両側壁２，３の縦溝１３の底部には、図５（ａ）（ｂ）のように、起立させた取付け柱１４，１５を起立方向から嵌め込んで両側を保持するホルダー２０が上下位置に２段で取付けられている。
【００２５】
また、取付け柱１４，１５の縦溝１３の底部側の面と下端部とには、図７（ａ）（ｂ）のように、起立させた時に、縦溝１３の底部と横溝１２の底部とに接触する中空状のパッキン２１が取付けられている。
【００２６】
さらに、両側壁２，３の縦溝１３の底部の上位置には、図５（ａ）（ｂ）のように、起立させた取付け柱１４，１５の上端部１４ｂ，１５ｂをロックする回転係止ハンドル２２が設けられている。この回転係止ハンドル２２は、両側壁２，３の縦溝１３の底部にそれぞれ立設された支持軸２３で回転可能に支持されるとともに、操作部２２ａと係止部２２ｂとを有している。
【００２７】
そして、取付け柱１４，１５を起立させる前は、図５（ｂ）のＡ位置に回転させておき、取付け柱１４，１５を起立させた後に、操作部２２ａを手で握って同図のＢ位置に回転させることで、係止部２２ｂが取付け柱１４，１５の上端部１４ｂ，１５ｂを係止して、取付け柱１４，１５が内側に倒れないように保持するようになる。
【００２８】
取付け柱１４，１５の上端部１４ｂ，１５ｂに、図６のように、回転係止ハンドル２２の係止部２２ｂのＢ位置への回転方向に、斜めに立ち上がる傾斜面１４ｃ，１５ｃを形成しておけば、係止部２２ｂで上端部１４ｂ，１５ｂを係止した時に、パッキン２１が縦溝１３の底部と横溝１２の底部とに押し付けられるので、水密性が向上するとともに、パッキン２１の反力で傾斜面１４ｃ，１５ｃが係止部２２ｂを内方に押し付けるので、回転係止ハンドル２２がＢ位置から不用意にＡ位置の方向に回転しなくなる。
【００２９】
図１（ａ）（ｂ）に示したように、上昇・展張状態の防水シート１０の上端部１０ｃの中央部分１０ｄは、上向きの略台形状に嵩上げされている。また、防水シート１０の上端部には、図５（ａ）のように、取付け柱１４，１５に両端２４ａが止着されたロープ等の補強材２４が設けられている。
【００３０】
前記のようにシート式防水扉５を構成すれば、不使用時には、図４（ｃ）のように、取付け柱１４，１５は横溝１２内に倒伏されるとともに、防水シート１０は巻き丸められ状態で横溝１２内に格納されて、横溝１２は蓋１１で覆われている。
【００３１】
浸水等の使用時には、１人で作業する場合には、蓋１１を取外した後に、横溝１２内の一方の取付け柱１４を起立させて、その上端部１４ｂを回転係止ハンドル２２で係止（ロック）し、ついで、横溝１２内の他方の取付け柱１５を起立させて、その上端部１５ｂを回転係止ハンドル２２で係止（ロック）する。
【００３２】
この取付け柱１４，１５の起立に追従して、横溝１２内に巻き丸められ状態で格納された可撓性の防水シート１０は、自動的に上昇・展張されるから、防水シート１０の上昇・展張作業と取付け柱１４，１５の両側壁２，３への取付け作業とを、ほぼワンタッチ操作で行えるようになる。かかる作業を１人でする場合、基本的には、取付け柱１４，１５を起立させてロックするだけであるので、５分程度の労力で済む。
【００３３】
また、不使用時には、床面１の蓋１１付き横溝１２内に、倒伏させた取付け柱１４，１５と防水シート１０とを格納できるので、安全であるとともに、使用時には、両側壁２，３の縦溝１３内に取付け柱１４，１５を格納できるので、不使用時でも取付け柱１４，１５や回転係止ハンドル２２が両側壁２，３から出っ張らなくなって安全である。
【００３４】
さらに、縦溝１３と取付け柱１４，１５との間にパッキン２１を介設することで、この間の水密性が確保できるようになる。
【００３５】
また、縦溝１３内には、起立させた取付け柱１４，１５を起立位置にロック可能な回転係止ハンドル２２を設けているので、回転係止ハンドル２２の回転操作だけで、取付け柱１４，１５をワンタッチで起立位置にロックできるようになる。
【００３６】
さらに、縦溝１３内には、起立させた取付け柱１４，１５を嵌め込んで両側を保持するホルダー２０を取付けているので、ホルダー２０で取付け柱１４，１５が起立位置に位置決めされて、水圧等で変位しなくなる。
【００３７】
また、防水シート１０の上端部１０ｃに、ロープ等の補強材２４を設けているので、水圧等で防水シート１０の上端部１０ｃが伸びてシート高さが低くなることを防止できるようになる。
【００３８】
特に、防水シート１０の上端部１０ｃの中央部分１０ｄは、上向きの略台形状に嵩上げしているので、図１（ａ）のように、矢印Ｄの流向方向からの水圧等で、防水シート１０が二点鎖線ａのように膨らんで、図１（ｂ）のように、防水シート１０の上端部１０ｃの中央部分１０ｄが伸びてシート高さが低くなろうとしても（二点鎖線ｂ参照）、嵩上げ部分でシート高さを補填できるので、結果的にシート高さが低くなることを防止できるようになる。
【００３９】
また、防水シート１０の上端部１０ｃの中央部分１０ｄを上向きの略台形状に嵩上げすることで、不使用時に取付け柱１４，１５を倒伏させて、防水シート１０を取付け柱１４，１５と平行になるように巻き丸める時に、防水シート１０の上端部１０ｃが重なり合いにくくなるので、巻き丸めたときの外径を小さくすることができる。
【００４０】
すなわち、図８（ａ）のように、防水シート１０の上端部１０ｃが水平状態であれば、取付け柱１４，１５を倒伏させると、防水シート１０の上端部１０ｃが略コ字状に折り重ねられるので、矢印Ｃ方向に巻き丸めると、ロープ等の補強材２４が重なり合うので、巻き丸めたときの外径が大きくなる。
【００４１】
これに対して、図８（ｂ）のように、防水シート１０の上端部１０ｃの中央部分１０ｄを嵩上げすれば、取付け柱１４，１５を倒伏させると、防水シート１０の上端部１０ｃが略ハ字状に折り重ねられるので、矢印Ｃ方向に巻き丸めると、ロープ等の補強材２４が重なり合いにくくなるので、巻き丸めたときの外径が小さくなるのである。
【００４２】
このように、防水シート１０を不使用時に倒伏させた取付け柱１４，１５と平行になるように防水シートを巻き丸めれば、横溝１２の格納スペースが小さくて済むとともに、使用時の上昇・展張がスムーズになる。
【００４３】
前記実施形態では、床面１に横溝１２を形成し、両側壁２，３に縦溝１３を形成したが、必ずしも形成する必要は無い。
【００４４】
前記実施形態では、回転係止ハンドル２２で取付け柱１４，１５を係止（ロック）したが、他の係止（ロック）手段であっても良い。
【００４５】
前記実施形態では、建物等の通路開口４を塞ぐシート式防水扉５であってが、地下街等の出入り口（通路開口）を塞ぐシート式防水扉５とすることもできる。
【図面の簡単な説明】
【００４６】
【図１】本発明の実施形態に係るシート式防水扉であり、（ａ）は防水シートが上昇・展張状態（使用時）の平面図、（ｂ）は（ａ）の正面図である。
【図２】（ａ）は図１（ｂ）のＩ−Ｉ線断面図、（ｂ）は図１（ｂ）の要部拡大図である。
【図３】本発明の実施形態に係るシート式防水扉であり、（ａ）は防水シートが格納状態（不使用時）の平面図、（ｂ）は（ａ）の正面図である。
【図４】（ａ）は図３（ｂ）のＩＩ−ＩＩ線断面図、（ｂ）は図３（ａ）の要部拡大図、（ｃ）は（ｂ）のＩＩＩ−ＩＩＩ線断面図である。
【図５】（ａ）は図１（ｂ）の要部拡大図、（ｂ）は（ａ）の側面図である。
【図６】図５（ａ）の要部平面断面図である。
【図７】（ａ）は図３（ｂ）の要部拡大図、（ｂ）は防水シートの巻き丸め前の側面図である。
【図８】防水シートであり、（ａ）は上端部が水平タイプの折り重ね状態の平面図、（ｂ）は上端部の中央部分が嵩上げタイプの折り重ね状態の平面図である。
【符号の説明】
【００４７】
１      床面
２，３  両側壁
４      通路開口
５      シート式防水扉
１０    防水シート
１０ａ  下端部
１０ｂ  両端部
１０ｃ  上端部
１０ｄ  嵩上げ部分
１１    蓋
１２    横溝
１３    縦溝
１４，１５  取付け柱
１６    ヒンジ金具
２０    ホルダー
２１    パッキン
２２    回転係止ハンドル
２４    補強材
【図１】
2008190276.tif 000003
【図２】
2008190276.tif 000004
【図３】
2008190276.tif 000005
【図４】
2008190276.tif 000006
【図５】
2008190276.tif 000007
【図６】
2008190276.tif 000008
【図７】
2008190276.tif 000009
【図８】
2008190276.tif 000010